(57)【要約】【課題】第２種パチンコ遊技機に第１種パチンコ遊技機の機能の一部を組込み、大当たりになるまでの過程を遊技者に分かり易くすること。【解決手段】可変入賞装置１の開放時に可変入賞装置１内への遊技球の入賞を検出する入賞検出スイッチ５７、５８と、遊技盤に配され、表示演出を行う図柄表示装置１４とを備え、始動口３又は４に遊技球が入賞し、始動口スイッチ５２又は５４がオンしたことに起因して図柄表示装置１４において表示演出を開始させると共に可変入賞装置１を開放し、この開放時に可変入賞装置１内に遊技球が入賞して入賞検出スイッチ５７又は５８がオンすると、入賞した遊技球が大当たり口２４に入球して特定領域スイッチ６３がオンする場合と排出口２７に入球して排出領域スイッチ６４がオンする場合とにそれぞれ対応させた態様で、図柄表示装置１４において表示演出を行う。【選択図】図５
2008067969.tif 000002
【特許請求の範囲】
【請求項１】
始動口への遊技球の入賞を検出する始動口スイッチと、該始動口スイッチがオンすると、開放動作を行う可変入賞装置と、該可変入賞装置内に配設された特定領域と、前記可変入賞装置内に配設された排出領域と、前記特定領域への遊技球の入球を検出する特定領域スイッチと、前記排出領域への遊技球の入球を検出する排出領域スイッチとを備え、前記始動口に遊技球が入賞したことに起因して前記可変入賞装置が開放され、この開放時に遊技球が該可変入賞装置内に入賞し、該入賞した遊技球が前記特定領域に入球すると大当たりが発生するように構成されたパチンコ遊技機において、
遊技盤に配され、表示演出を行う図柄表示装置を備え、
前記始動口に遊技球が入賞し、前記始動口スイッチがオンしたことに起因して前記図柄表示装置において表示演出を開始させると共に前記可変入賞装置を開放し、この開放時に該可変入賞装置内に入賞した遊技球が前記特定領域に入球して前記特定領域スイッチがオンする場合と前記排出領域に入球して前記排出領域スイッチがオンする場合とにそれぞれ対応させた態様で、前記図柄表示装置において表示演出を行うよう構成したことを特徴とするパチンコ遊技機。
【請求項２】
前記表示演出は、複数の図柄列に基づいて行われ、前記始動口スイッチがオンすると、前記複数の図柄列を変動開始させ、前記可変入賞装置の開放時に該可変入賞装置内への遊技球の入賞を検出する入賞検出スイッチがオンすると、変動中の複数の図柄列のうちの一部の図柄列を停止表示させ、その後、前記特定領域スイッチがオンする場合と前記排出領域スイッチがオンする場合とにそれぞれ対応させた態様で、変動継続中の残りの図柄列を停止表示させることを特徴とする請求項１に記載のパチンコ遊技機。
【請求項３】
前記入賞検出スイッチがオンすることによって停止表示される前記一部の図柄列の停止表示態様は、リーチ態様であることを特徴とする請求項２に記載のパチンコ遊技機。
【請求項４】
前記特定領域スイッチがオンすることによって停止表示される前記残りの図柄列の停止表示態様は、大当たりを示唆する態様であり、また、前記排出領域スイッチがオンすることによって停止表示される前記残りの図柄列の停止表示態様は、ハズレを示唆する態様であることを特徴とする請求項２又は３に記載のパチンコ遊技機。
【請求項５】
大当たり信頼度示唆手段を予め設定しておき、前記入賞検出スイッチがオンしたときのタイミングに応じて大当たり信頼度示唆手段を前記図柄表示装置に表示させることを特徴とする請求項２〜４のいずれかに記載のパチンコ遊技機。
【請求項６】
前記可変入賞装置の開放時に該可変入賞装置内に複数個の遊技球が入賞して前記入賞検出スイッチが複数回数オンする場合、先に入賞した遊技球が前記特定領域に入球し前記特定領域スイッチがオンしたときは、後に入賞した遊技球によってオンした特定領域スイッチ及び排出領域スイッチの検出信号を受付けないようにし、更に、先に入賞した遊技球が前記排出領域に入球して前記排出領域スイッチがオンしたときは、後に入賞した遊技球によってオンした特定領域スイッチ又は排出領域スイッチの検出信号を受付け可能にする制御を含み構成されることを特徴とする請求項２〜５のいずれかに記載のパチンコ遊技機。
【請求項７】
前記可変入賞装置の開放時に該可変入賞装置内に複数個の遊技球が入賞する場合、遊技球が前記特定領域に入球し前記特定領域スイッチがオンしたときは、その後の特定領域スイッチ及び排出領域スイッチの検出信号を受付けないようにする制御を含み構成されることを特徴とする請求項２〜５のいずれかに記載のパチンコ遊技機。
【請求項８】
前記残りの図柄列が大当たりを示唆する態様で停止表示された場合、前記複数の図柄列は、この停止表示の状態から大当たりを示唆する態様を保ちながら再変動を開始し、この再変動後に停止表示された大当たりを示唆する態様の如何によって遊技者に付与する特典を異ならせるように構成したことを特徴とする請求項４〜７のいずれかに記載のパチンコ遊技機。
【請求項９】
前記表示演出は、キャラクタを登場させ、その後キャラクタが演じる物語の内容に応じて複数種類の大当たりやハズレを設定するストーリー性を有する表示演出であることを特徴とする請求項１に記載のパチンコ遊技機。
【発明の詳細な説明】
【技術分野】
【０００１】
本発明は、パチンコ遊技機、特に、第２種パチンコ遊技機に第１種パチンコ遊技機の機能の一部を組込んだパチンコ遊技機に関する。
【背景技術】
【０００２】
現在、パチンコ遊技機として、第２種パチンコ遊技機と第１種パチンコ遊技機がある。
【０００３】
第２種パチンコ遊技機は、始動口への遊技球の入賞を検出する始動口スイッチと、始動口スイッチがオンすると、所定期間開放動作を行う可変入賞装置と、可変入賞装置内に配設された特定領域と、可変入賞装置内に配設された排出領域と、特定領域への遊技球の入球を検出する特定領域スイッチと、排出領域への遊技球の入球を検出する排出領域スイッチとを備え、始動口に遊技球が入賞したことに起因して可変入賞装置が所定期間開放され、この開放時に遊技球が可変入賞装置内に入賞し、該入賞した遊技球が特定領域（所謂Vゾーン）に入球すると大当たりが発生するように構成される。
【０００４】
一方、従前からの代表的な第１種パチンコ遊技機は、始動口への遊技球の入賞を検出する始動口スイッチと、遊技盤に配され、複数の図柄列を変動表示可能な図柄表示装置とを備え、始動口スイッチがオンすると、図柄表示装置において複数の図柄列を変動開始させ、リーチ演出など多彩な演出を経て複数の図柄列が揃った状態で停止表示されると、大当たりが発生するよう構成される。また、最近の第１種パチンコ遊技機として、始動口スイッチがオンしたとき、複数の図柄列を変動表示させる代わりに、キャラクタを登場させ、その後キャラクタが演じる物語の内容に応じて複数種類の大当たりやハズレを設定する表示演出を図柄表示装置において行うものが知られている。
【０００５】
第２種パチンコ遊技機は、第１種パチンコ遊技機と比べ、大当たりになるまでの過程が複雑で初心者には分かりにくいと共に演出面でも単調で劣る傾向がある。
【０００６】
なお、特許文献１には、第１種パチンコ遊技機と第２種パチンコ遊技機の両方の機能をもつパチンコ遊技機が提案されているが、２つの方式で大当たりが発生するため、遊技者にとっては一層分かりにくくなっている。
【特許文献１】特開２００３−２４５４３８公報
【発明の開示】
【発明が解決しようとする課題】
【０００７】
本発明は、上記の点にかんがみ、第２種パチンコ遊技機に第１種パチンコ遊技機の機能の一部を組込み、演出面の向上を図ると共に、大当たりになるまでの過程を簡素化し、遊技者に分かり易いパチンコ遊技機を提供することを目的とする。
【課題を解決するための手段】
【０００８】
本発明のパチンコ遊技機は、始動口への遊技球の入賞を検出する始動口スイッチと、該始動口スイッチがオンすると、開放動作を行う可変入賞装置と、該可変入賞装置内に配設された特定領域と、前記可変入賞装置内に配設された排出領域と、前記特定領域への遊技球の入球を検出する特定領域スイッチと、前記排出領域への遊技球の入球を検出する排出領域スイッチとを備え、前記始動口に遊技球が入賞したことに起因して前記可変入賞装置が開放され、この開放時に遊技球が該可変入賞装置内に入賞し、該入賞した遊技球が前記特定領域に入球すると大当たりが発生するように構成されたパチンコ遊技機において、遊技盤に配され、表示演出を行う図柄表示装置を備え、前記始動口に遊技球が入賞し、前記始動口スイッチがオンしたことに起因して前記図柄表示装置において表示演出を開始させると共に前記可変入賞装置を開放し、この開放時に該可変入賞装置内に入賞した遊技球が前記特定領域に入球して前記特定領域スイッチがオンする場合と前記排出領域に入球して前記排出領域スイッチがオンする場合とにそれぞれ対応させた態様で、前記図柄表示装置において表示演出を行うよう構成したことを特徴とする。
【０００９】
本発明のパチンコ遊技機によると、遊技球が始動口に入賞すると図柄表示装置が表示演出を開始し、可変入賞装置の開放時に遊技球が可変入賞装置内に入賞し、特定領域に入球すると、所定の態様例えば大当たりに対応する態様で表示演出が行われ、一方、排出領域に入球すると、所定の態様例えばハズレに対応する態様で表示演出が行われる。このため、遊技者は、この図柄表示装置における表示演出を見ることで大当たりが発生したかハズレになったかを容易に分かるようになる。
【００１０】
ここで、前記表示演出は、複数の図柄列に基づいて行われ、前記始動口スイッチがオンすると、前記複数の図柄列を変動開始させ、前記可変入賞装置の開放時に該可変入賞装置内への遊技球の入賞を検出する入賞検出スイッチがオンすると、変動中の複数の図柄列のうちの一部の図柄列を停止表示させ、その後、前記特定領域スイッチがオンする場合と前記排出領域スイッチがオンする場合とにそれぞれ対応させた態様で、変動継続中の残りの図柄列を停止表示させる。
【００１１】
また、前記入賞検出スイッチがオンすることによって停止表示される前記一部の図柄列の停止表示態様は、リーチ態様である。
【００１２】
また、前記特定領域スイッチがオンすることによって停止表示される前記残りの図柄列の停止表示態様は、大当たりを示唆する態様であり、また、前記排出領域スイッチがオンすることによって停止表示される前記残りの図柄列の停止表示態様は、ハズレを示唆する態様である。
【００１３】
また、大当たり信頼度示唆手段を予め設定しておき、前記入賞検出スイッチがオンしたときのタイミングに応じて大当たり信頼度示唆手段を前記図柄表示装置に表示させる。ここで、大当たり信頼度示唆手段は、キャラクタや閃光などを挙げることができ、キャラクタの登場あるいは閃光が有ったことを遊技者が知ることで大当たりが発生する確率が高いことを知り、期待をもって遊技をすることができる。
【００１４】
また、前記可変入賞装置の開放時に該可変入賞装置内に複数個の遊技球が入賞して前記入賞検出スイッチが複数回数オンする場合、先に入賞した遊技球が前記特定領域に入球し前記特定領域スイッチがオンしたときは、後に入賞した遊技球によってオンした特定領域スイッチ及び排出領域スイッチの検出信号を受付けないようにし、更に、先に入賞した遊技球が前記排出領域に入球して前記排出領域スイッチがオンしたときは、後に入賞した遊技球によってオンした特定領域スイッチ又は排出領域スイッチの検出信号を受付け可能にする制御を含み構成される。
【００１５】
また、前記可変入賞装置の開放時に該可変入賞装置内に複数個の遊技球が入賞する場合、遊技球が前記特定領域に入球し前記特定領域スイッチがオンしたときは、その後の特定領域スイッチ及び排出領域スイッチの検出信号を受付けないようにする制御を含み構成される。
【００１６】
また、前記残りの図柄列が大当たりを示唆する態様で停止表示された場合、前記複数の図柄列は、この停止表示の状態から大当たりを示唆する態様を保ちながら再変動を開始し、この再変動後に停止表示された大当たりを示唆する態様の如何によって遊技者に付与する特典を異ならせるように構成される。
【００１７】
前記表示演出は、キャラクタを登場させ、その後キャラクタが演じる物語の内容に応じて複数種類の大当たりやハズレを設定するストーリー性を有する表示演出であってもよい。
【発明を実施するための最良の形態】
【００１８】
以下、本発明の実施形態を図面に基づいて説明する。
【００１９】
図１は、本発明の一実施形態に係るパチンコ遊技機の遊技盤の正面図、図２は、可変入賞装置の正面図、図３は、可変入賞装置の側面図、図４は、電気系統のブロック図、図５は、図柄表示装置による表示演出の一例を表したフローチャート、図６は、他の実施形態に係るパチンコ遊技機における図柄表示装置による表示演出の他の例を表したフローチャート、図７は、さらに他の実施形態に係るパチンコ遊技機の処理内容を表したフローチャート、図８は、図７図示の処理における図柄表示装置による表示演出の説明図をそれぞれ示す。
【００２０】
図１〜図３において、遊技盤の中央に可変入賞装置１が配置され、可変入賞装置１の下方において、上側にゲート２、下側にチューリップ型始動口３がそれぞれ配置されている。ゲート２には、遊技球の通過を検出するゲートスイッチ５１（図４）が設けられている。チューリップ型始動口３には、遊技球の入賞を検出する始動口スイッチ５２（図４）が設けられている。また、チューリップ型始動口３は、始動口ソレノイド５３（図４）によって開放駆動される。チューリップ型始動口３の左方には、始動口４が配置されている。始動口４には、遊技球の入賞を検出する始動口スイッチ５４（図４）が設けられている。
【００２１】
可変入賞装置１は、上下三段のステージ（上ステージ５、中ステージ６、下ステージ７）を有する。
【００２２】
上ステージ５の左右両端部の上方には、遊技球を上ステージ５の上に導き入れることができる左右一対の開口部（左入口８、右入口９）が形成されており、左右一対の開口部８、９は、左右一対の可動羽根（左羽根１０、右羽根１１）によって開放、閉鎖される。左右一対の可動羽根１０、１１は、一対のソレノイド（左大入賞口ソレノイド５５、右大入賞口ソレノイド５６）によって同時に開放駆動される。また、上ステージ５の左右両端部には、左右一対の開口部８、９の開放時に上ステージ５上に導入された遊技球を中ステージ６上に落下させるための落下ガイド孔（左落下ガイド孔１２、右落下ガイド孔１３）が設けられている。各落下ガイド孔１２、１３には、遊技球の通過、換言すると、可変入賞装置１内への遊技球の入賞を検出する入賞検出スイッチ（左入賞検出スイッチ５７、右入賞検出スイッチ５８）が設けられている。
【００２３】
また、上ステージ５の上方には、図柄表示装置１４の表示画面が配されている。図柄表示装置１４は、液晶表示器などから構成される。
【００２４】
中ステージ６は、奥に向かって下り坂となっている。中ステージ６の中央奥には、人形１５が配置されている。人形１５には、前進可能なポケット１６が設けられている。ポケット１６は、ポケットソレノイド５９によって前進駆動される。ポケット１６は、前進時に中ステージ６上の遊技球を受け止めることができ、ポケット１６内に入った遊技球は、人形１５の裏側から人形１５の両足の間へと導かれる。人形１５の両足の間には、人形１５の裏側から導かれてきた遊技球を一時的に停留させるための停留クランク１７が設けられている。停留クランク１７は、停留ソレノイド６０によって上昇駆動され、上昇時に遊技球を停留させ、下降時に遊技球を下ステージ７上に解放する。
【００２５】
また、中ステージ６の左右両端の奥側には、中空球体を前後方向に２分割した中空半球状の回転体（左回転体１８、右回転体１９）が配置されている。各回転体１８、１９は、モータ（左モータ６１、右モータ６２）によって前後方向の水平軸回りに回転駆動される。各回転体１８、１９は、中ステージ６上の遊技球を回転体１８、１９内部に導入する複数の導入孔１８a、１９aを、周方向に等間隔で有している。各回転体１８、１９の内部には、導入孔１８a、１９aから導入された遊技球を受け止める中空半球状の皿部材（左皿部材２０、右皿部材２１）が配されており、この皿部材２０、２１に受け止められた遊技球は、人形１５の両足の外側に配された左右一対のハズレ孔（左ハズレ孔２２、右ハズレ孔２３）へと誘導され、ハズレ孔２２、２３から下ステージ７上に放出される。
【００２６】
下ステージ７は、手前に向かって下り坂となっている。下ステージ７の前端部には、大当たり口２４と２つのハズレ口（左ハズレ口２５、右ハズレ口２６）が設けられており、大当たり口２４は、人形１５の両足の間から下ステージ７上に解放された遊技球が入球し易い位置に配され、また、２つのハズレ口２５、２６は、大当たり口２４を挟むように配されている。大当たり口２４には、大当たり口２４に入球した遊技球を検出するスイッチ６３が設けられており、大当たり口２４は、特定領域に対応し、スイッチ６３は、特定領域スイッチに対応する。２つのハズレ口２５、２６に入球した遊技球は、図示しない経路を経て排出口２７から排出される。この排出口２７には、遊技球を検出するスイッチ６４が設けられている。排出口２７は、排出領域に対応し、また、スイッチ６４は、排出領域スイッチに対応する。
【００２７】
次に、図柄表示装置１４による表示演出に関する説明を省略した上で、上記のように構成される可変入賞装置１の動作を説明する。なお、この可変入賞装置１の動作制御は、後述するメイン基板１００（図４）により行われる。
【００２８】
遊技球がゲート２を通過すると、ゲートスイッチ５１がオンし、メイン基板１００で高速抽選が行われ、抽選結果が当たりの場合、チューリップ型始動口３が始動口ソレノイド５３により開放され、遊技球は入賞可能になる。開放時のチューリップ型始動口３に遊技球が入賞して始動口スイッチ５２がオンし、あるいは、始動口４に遊技球が入賞して始動口スイッチ５４がオンすると、左大入賞口ソレノイド５５及び右大入賞口ソレノイド５６が駆動され、左羽根１０及び右羽根１１が同時に短時間開放状態となり、可変入賞装置１内に遊技球が入賞可能な状態になる。また、始動口スイッチ５２又は５４がオンすると、左モータ６１及び右モータ６２が回転を開始する。また、始動口スイッチ５２又は５４がオンすると、ポケットソレノイド５９が断続的に駆動され、人形１５のポケット１６が前進と後退を繰り返すようになる。また、始動口スイッチ５２又は５４がオンすると、停留ソレノイド６０が断続的に駆動され、停留クランク１７が上昇と下降を繰り返すようになる。
【００２９】
左羽根１０及び右羽根１１の開放時に、遊技球が左入口８又は右入口９を経て可変入賞装置１内に入賞すると、遊技球は上ステージ５から左落下ガイド孔１２又は右落下ガイド孔１３を経て中ステージ６上に落下する。中ステージ６上に落下した遊技球は、左回転体１８又は右回転体１９の回転により、導入孔１８a又は１９aを経て皿部材２０又は２１に落下するか、あるいは、隣り合う導入孔１８a又は１９a間の壁部に当たって人形１５のポケット１６に向かって転がる。皿部材２０又は２１で受け止められた遊技球は、左ハズレ孔２２又は右ハズレ孔２３へと誘導され、高い確率で左ハズレ口２５又は右ハズレ口２６に入球し、排出口２７から外部に排出される。
【００３０】
一方、人形１５のポケット１６に向かって中ステージ６上を転がる遊技球は、中ステージ６からの落下タイミングがポケット１６が前進位置にあるときと一致する場合には、ポケット１６内に入球する。ポケット１６内に入球した遊技球は、停留クランク１７が上昇位置にあるときは、停留クランク１７で一旦停留された後、停留クランク１７の下降時に下ステージ７上に放出され、大当たり口２４に向かって転がり、高確率で大当たり口２４に入球し、一方、停留クランク１７が下降位置にあるときは、停留されずに下ステージ７上を比較的高速で大当たり口２４に向かって転がり、大当たり口２４への通過確率は低下する。
【００３１】
また、人形１５のポケット１６に向かって中ステージ６上を転がる遊技球は、中ステージ６からの落下タイミングがポケット１６が後退位置にあるときに一致する場合には、中ステージ６から下ステージ７上に落下し、大当たり口２４、又は、左ハズレ口２５又は右ハズレ口２６に入球する。
【００３２】
図４に示すように、パチンコ遊技機の電気系統は、CPU、ROM、RAM、I/Oなどからなる遊技制御基板（メイン基板）１００と、同じくCPU、ROM、RAM、I/Oなどからなる図柄制御基板２００を備える。メイン基板１００のI/Oには、ゲートスイッチ（SW）５１、始動口スイッチ（SW）５２、始動口ソレノイド（SOL）５３、始動口スイッチ（SW）５４、左大入賞口ソレノイド（SOL）５５、右大入賞口ソレノイド（SOL）５６、左入賞検出スイッチ（SW）５７、右入賞検出スイッチ（SW）５８、ポケットソレノイド（SOL）５９、停留ソレノイド（SOL）６０、左モータ６１、右モータ６２、特定領域スイッチ（SW）６３、排出領域スイッチ（SW）６４などが電気的に接続される。また、図柄制御基板２００のI/Oには、図柄表示装置１４が接続される。
【００３３】
メイン基板１００は、図５に示すような表示演出を図柄表示装置１４において実行させる。
【００３４】
図５において、始動口スイッチ５２又は５４がオンして始動条件が成立すると（ステップS1）、直撃大当たり抽選（可変入賞装置１の開放動作を行うことなく、１５ラウンドの大当たりを発生させるか否かの抽選を行うか否かの抽選）を行い、この抽選結果がハズレつまり直撃大当たりを発生させない抽選結果である場合、図柄表示装置１４において表示演出のための図柄変動が開始される（ステップS2）。この図柄変動は、第１種パチンコ遊技機において周知のように、例えば、複数の図柄列（例えば、左列、中列、右列）であって、各列が１〜１３までの数字図柄からなる複数の図柄列を変動させることによって行われる。
【００３５】
また、上記抽選結果がハズレの場合、可変入賞装置１の左羽根１０及び右羽根１１が、それぞれ左大入賞口ソレノイド５５及び右大入賞口ソレノイド５６によって所定時間だけ開放動作を行う（ステップS3）。
【００３６】
この可変入賞装置１の開放時に遊技球が可変入賞装置１内に入賞し、左入賞検出スイッチ５７又は右入賞検出スイッチ５８がオンすると（ステップS4）、図柄表示装置１４において、変動中の複数の図柄列のうちの一部の図柄列（例えば、左列と右列）を同一図柄で停止表示させ、リーチ態様を発生させる（ステップS5）。
【００３７】
その後、可変入賞装置１に入賞した遊技球が特定領域（大当たり口２４）に入球して特定領域スイッチ６３がオンした場合（ステップS6）、図柄表示装置１４において、変動中の中列の図柄列を左列及び右列の同一の停止図柄と同一の図柄で停止表示させ（ステップS7）、１５ラウンド、７ラウンド、２ラウンドのうちのいずれかのラウンドの大当たりを抽選により発生させ（ステップS8）、図柄表示装置１４において、再変動演出を行い（ステップS9）、最終的には、抽選結果に基づき、２ラウンド、７ラウンド又は１５ラウンドの可変入賞装置１の開放動作を行う（ステップS10）。ここで、再変動演出は、変動継続中の残りの図柄列が大当たりを示唆する態様で停止表示された場合に、複数の図柄列が、この停止表示の状態から大当たりを示唆する態様を保ちながら再び変動表示を開始させる演出である。
【００３８】
一方、リーチ態様発生（ステップS5）後、可変入賞装置１に入賞した遊技球がハズレ口２５、２６に入球し、排出口２７から排出され、排出領域スイッチ６４がオンすると（ステップS11）、図柄表示装置１４において、変動中の中列の図柄列を左列及び右列の同一の停止図柄と異なる図柄で停止表示させ（ステップS12）、可変入賞装置１を開放動作しないハズレで終了する（ステップS13）。
【００３９】
また、可変入賞装置１の開放時（ステップS3）、遊技球が可変入賞装置１内に入賞しなかった場合（ステップS14）、変動中の全ての図柄列をバラケ目（左列、中列、右列の各図柄列の停止図柄が同一とならない図柄）で停止表示し（ステップS15）、可変入賞装置１を開放動作しないハズレで終了する（ステップS13）。
【００４０】
また、上記直撃大当たり抽選により、可変入賞装置１の開放動作を行うことなく、１５ラウンドの大当たりを発生させるか否かの抽選を行う結果となった場合、図柄表示装置１４において、変動中の複数の図柄列のうちの一部の図柄列（例えば、左列と右列）を同一図柄で停止表示させ、リーチ態様を発生させ（ステップS16）、直撃大当たりを発生させる場合（ステップS17）、可変入賞装置１を１５ラウンド開放動作させ（ステップS18）、ハズレの場合、可変入賞装置１を開放動作させないで終了する（ステップS19）。
【００４１】
以上説明したように、上記実施形態に係るパチンコ遊技機は、チューリップ型始動口３への遊技球の入賞を検出する始動口スイッチ５２及び始動口４への遊技球の入賞を検出する始動口スイッチ５４と、始動口スイッチ５２又は５４がオンすると、所定期間開放動作を行う可変入賞装置１と、可変入賞装置１内に配設された大当たり口２４（特定領域）と、可変入賞装置１内に配設された排出口２７（排出領域）と、大当たり口２４への遊技球の入球を検出する特定領域スイッチ６３と、排出口２７への遊技球の入球を検出する排出領域スイッチ６４とを備え、始動口３又は４に遊技球が入賞したことに起因して可変入賞装置１が開放され、この開放時に遊技球が可変入賞装置１内に入賞し、該入賞した遊技球が大当たり口２４に入球すると大当たりが発生するように構成されたパチンコ遊技機において、可変入賞装置１の開放時に可変入賞装置１内への遊技球の入賞を検出する左入賞検出スイッチ５７及び右入賞検出スイッチ５８と、遊技盤に配され、表示演出を行う図柄表示装置１４とを備え、始動口３又は４に遊技球が入賞し、始動口スイッチ５２又は５４がオンしたことに起因して図柄表示装置１４において表示演出を開始させると共に可変入賞装置１を所定期間開放し、この開放時に可変入賞装置１内に遊技球が入賞して左入賞検出スイッチ５７又は右入賞検出スイッチ５８がオンすると、入賞した遊技球が大当たり口２４に入球して特定領域スイッチ６３がオンする場合と排出口２７に入球して排出領域スイッチ６４がオンする場合とにそれぞれ対応させた態様で、図柄表示装置１４において表示演出を行うよう構成した。ここで、表示演出は、複数の図柄列に基づいて行われ、始動口スイッチ５２又は５４がオンすると、複数の図柄列を変動開始させ、左入賞検出スイッチ５７又は右入賞検出スイッチ５８がオンすると、変動中の複数の図柄列のうちの一部の図柄列を停止表示させ、その後、特定領域スイッチ６３がオンする場合と排出領域スイッチ６４がオンする場合とにそれぞれ対応させた態様で、変動継続中の残りの図柄列を停止表示させている。また、残りの図柄列が大当たりを示唆する態様で停止表示された場合、複数の図柄列は、この停止表示の状態から大当たりを示唆する態様を保ちながら再変動を開始し、この再変動後に停止表示された大当たりを示唆する態様の如何によって遊技者に付与する特典を異ならせるように構成される。
【００４２】
本実施形態のパチンコ遊技機によると、遊技球が始動口３又は４に入賞すると図柄表示装置１４が表示演出を開始し、可変入賞装置１の開放時に遊技球が可変入賞装置１内に入賞し、大当たり口２４に入球すると、大当たりに対応する態様で表示演出が行われ、一方、排出口２７に入球すると、ハズレに対応する態様で表示演出が行われる。このため、遊技者は、この図柄表示装置１４における表示演出を見ることで大当たりが発生したかハズレになったかを容易に分かるようになる。
【００４３】
なお、大当たり信頼度示唆手段を予め設定しておき、左入賞検出スイッチ５７又は右入賞検出スイッチ５８がオンしたときのタイミングに応じて大当たり信頼度示唆手段を図柄表示装置１４に表示させるようにしてもよい。ここで、大当たり信頼度示唆手段は、キャラクタや閃光などを挙げることができ、キャラクタの登場あるいは閃光が有ったことを遊技者が知ることで大当たりが発生する確率が高いことを知り、期待をもって遊技をすることができる。
【００４４】
また、可変入賞装置１の開放時に可変入賞装置１内に複数個の遊技球が入賞して左入賞検出スイッチ５７又は右入賞検出スイッチ５８が複数回数オンする場合、先に入賞した遊技球が大当たり口２４に入球し特定領域スイッチ６３がオンしたときは、後に入賞した遊技球によってオンした特定領域スイッチ６３及び排出領域スイッチ６４の検出信号を受付けないようにし、更に、先に入賞した遊技球が排出口２７に入球して排出領域スイッチ６４がオンしたときは、後に入賞した遊技球によってオンした特定領域スイッチ６３又は排出領域スイッチ６４の検出信号を受付け可能にする制御を含み構成するようにしてもよい。例えば、先に入賞した遊技球が大当たり口２４に入球し特定領域スイッチ６３がオンしたときは、図柄表示装置１４において大当たり図柄（例えば、「７７７」）を停止表示し、その後、後に入賞した遊技球が大当たり口２４及び排出口２７のいずれに入球しても図柄表示装置１４においてはこの入賞に起因する表示を行わないようにする。
【００４５】
また、他の実施形態に係るパチンコ遊技機のメイン基板１００は、図６に示すような他の表示演出を図柄表示装置１４において実行させる。なお、その他の構成は、上述した実施形態のパチンコ遊技機と同様である。
【００４６】
図６において、始動条件が成立すると（ステップS21）、図柄表示装置１４において、図６に示すような、対決する二人のキャラクタを登場させ、これから対決が始まることを示唆する表示演出の開始画面を表示する（ステップS22）。そして、直撃大当たり抽選の結果が直撃大当たりを発生させない抽選結果である場合、可変入賞装置１を開閉動作させ（ステップS23）、入賞が有った場合（ステップS24）、図柄表示装置１４において、二人のキャラクタが対決している画面（リーチ態様に対応する画面）を表示させる（ステップS25）。
【００４７】
その後、特定領域スイッチ６３がオンした場合（ステップS26）、図柄表示装置１４において、対決の勝者が一方のキャラクタ（例えば、ウルトラマンセブン）であることを示唆する画面を表示させ（ステップS27）、大当たりを発生させ（ステップS28）、図柄表示装置１４において、大当たりの種類（２ラウンド、７ラウンド又は１５ラウンド）に応じた攻撃の強さを示唆する画面を表示させ（ステップS29）、大当たりに応じた回数だけ可変入賞装置１を開放動作させる（ステップS30）。
【００４８】
一方、排出領域スイッチ６４がオンした場合（ステップS31）、図柄表示装置１４において、対決の敗者がウルトラマンセブンであることを示唆する画面を表示させ（ステップS32）、可変入賞装置１を開放動作させずハズレで終了する（ステップS33）。
【００４９】
また、可変入賞装置１への遊技球の入賞が無かった場合（ステップS34）、図柄表示装置１４の表示は変化させず（ステップS35）、可変入賞装置１を開放動作させずハズレで終了する（ステップS33）。なお、直撃大当たり抽選の結果が直撃大当たりを発生させる抽選結果である場合、図柄表示装置１４において、二人のキャラクタが対決している画面を表示させ（ステップS36）、直撃大当たりを発生させる場合（ステップS37）、可変入賞装置１を１５ラウンド開放動作させ（ステップS38）、ハズレの場合、可変入賞装置１を開放動作させないで終了する（ステップS39）。
【００５０】
このような他の実施形態に係るパチンコ遊技機によっても、遊技球が始動口３又は４に入賞すると図柄表示装置１４が表示演出を開始し、可変入賞装置１の開放時に遊技球が可変入賞装置１内に入賞し、大当たり口２４に入球すると、大当たりに対応する態様で表示演出が行われ、一方、排出口２７に入球すると、ハズレに対応する態様で表示演出が行われる。ここで、表示演出は、キャラクタを登場させ、その後キャラクタが演じる物語の内容に応じて複数種類の大当たりやハズレを設定するストーリー性を有する表示演出である。このような最近の第１種パチンコ遊技機の表示演出を第２種パチンコ遊技機に組み込むことによっても、遊技者は、図柄表示装置１４における表示演出を見ることで大当たりが発生したかハズレになったかを容易に分かるようになる。
【００５１】
さらに他の実施形態に係る処理内容を示す図７において、メイン基板１００は、始動条件が成立したか否かを繰り返し判定し（ステップS41）、始動条件が成立すると、図柄表示装置１４において図柄変動を開始させる（ステップS42）とともに、可変入賞装置１の開放動作を開始する（ステップS43）。
【００５２】
次に、可変入賞装置１への遊技球の入賞の有無を判定し（ステップS44）、入賞が有った場合、図柄表示装置１４においてリーチ態様を発生させる（ステップS45）。
【００５３】
次に、特定領域スイッチ６３がオンしたか否かの判定（ステップS46）と、排出スイッチ６４がオンしたか否かの判定（ステップS47）を繰り返す。
【００５４】
最初に特定領域スイッチ６３がオンした場合、前回排出スイッチ６４がオンしたか否かの判定（ステップS48）の結果は「NO」となり、図柄表示装置１４において、当り図柄で変動を停止させる（ステップS49）。そして、処理を終了する。したがって、開放動作中の可変入賞装置１に複数個の遊技球が入賞し、最初に特定領域スイッチ６３がオンした場合には、当り図柄で変動が停止する。その後、最初に特定領域スイッチ６３をオンした遊技球とは異なる他の遊技球によって特定領域スイッチ６３がオンしても、その検出結果は無効化される。例えば、図８（A）に示すように、ステップS49で停止した当り図柄が「７７７」であった場合、その後特定領域スイッチ６３がオンしても、当り図柄「７７７」は変動せずそのまま維持される。
【００５５】
また、最初に排出スイッチ６４がオンした場合、前回排出スイッチ６４がオンしたか否かの判定（ステップS50）の結果は「NO」となり、図柄表示装置１４において、ハズレ図柄で変動を停止させる（ステップS51）。次に、他の入賞が有るか否か、換言すると、複数個の遊技球が可変入賞装置１に入賞したか否かを判定し（ステップS52）、１個しか入賞しなかった場合は、処理を終了する。
【００５６】
一方、複数個の入賞が有った場合は、特定領域スイッチ６３や排出スイッチ６４によって先に検出された遊技球とは異なる他の遊技球について、再び特定領域スイッチ６３がオンしたか否かの判定（ステップS46）と、排出スイッチ６４がオンしたか否かの判定（ステップS47）を繰り返す。
【００５７】
ステップS46において他の遊技球によって特定領域スイッチ６３がオンした場合、前回排出スイッチ６４がオンしたか否かの判定（ステップS48）の結果は「YES」となり、図柄表示装置１４において、ステップS51で停止されたハズレ図柄を変動させ、当り図柄で変動を停止させる（ステップS53）。そして、処理を終了する。したがって、開放動作中の可変入賞装置１に複数個の遊技球が入賞し、最初に排出スイッチ６４がオンし、その後、排出スイッチ６４をオンした遊技球とは異なる他の遊技球によって特定領域スイッチ６３がオンした場合、一旦はハズレ図柄で停止するが、その後、当り図柄で停止するようになる。例えば、図８（B）に示すように、ステップS51で停止したハズレ図柄が「７６７」であった場合、その後特定領域スイッチ６３がオンすると、ハズレ図柄「７６７」は変動し、当り図柄「７７７」へと変化して停止する。
【００５８】
一方、ステップS47において、他の遊技球によって排出スイッチ６４がオンした場合、前回排出スイッチ６４がオンしたか否かの判定（ステップS50）の結果は「YES」となり、そのまま処理を終了し、あるいは、ステップS51で停止されたハズレ図柄を変動させ他のハズレ図柄で停止させる（ステップS54）。したがって、開放動作中の可変入賞装置１に複数個の遊技球が入賞し、最初に排出スイッチ６４がオンし、その後再び他の遊技球によって排出スイッチ６４がオンした場合、最初に停止したハズレ図柄が表示され続けるようになるか、あるいはそのハズレ図柄とは異なるハズレ図柄が表示されるようになる。例えば、図８（C）に示すように、ステップS51で停止したハズレ図柄が「７６７」であった場合、その後排出スイッチ６４がオンすると、ハズレ図柄「７６７」は、変動せずそのまま維持され、あるいは、変動した後他のハズレ図柄「７３７」へと変化して停止する。
【００５９】
以上説明したように、開放動作中の可変入賞装置１に複数個の遊技球が入賞した場合、特定領域スイッチ６３がオンした後は、他の遊技球の挙動は無効化されるため、遊技者に対して有利な遊技状態を提供することができるようになる。
【図面の簡単な説明】
【００６０】
【図１】本発明の一実施形態に係るパチンコ遊技機の遊技盤の正面図である。
【図２】可変入賞装置の正面図である。
【図３】可変入賞装置の側面図である。
【図４】電気系統のブロック図である。
【図５】図柄表示装置による表示演出の一例を表したフローチャートである。
【図６】他の実施形態に係るパチンコ遊技機における図柄表示装置による表示演出の例を表したフローチャートである。
【図７】さらに他の実施形態に係るパチンコ遊技機の処理内容を表したフローチャートである。
【図８】図７図示の処理における図柄表示装置による表示演出の説明図である。
【符号の説明】
【００６１】
１    可変入賞装置
３    チューリップ型始動口（始動口）
４    始動口
１４    図柄表示装置
２４    大当たり口（特定領域）
２７    排出口（排出領域）
５２、５４    始動口スイッチ
５７    左入賞検出スイッチ（入賞検出スイッチ）
５８    右入賞検出スイッチ（入賞検出スイッチ）
６３    特定領域スイッチ
６４    排出領域スイッチ
【図１】
2008067969.tif 000003
【図２】
2008067969.tif 000004
【図３】
2008067969.tif 000005
【図４】
2008067969.tif 000006
【図５】
2008067969.tif 000007
【図６】
2008067969.tif 000008
【図７】
2008067969.tif 000009
【図８】
2008067969.tif 000010